(57)【要約】      （修正有）【課題】ペット用ハウスとしても使用可能な段ボール箱を提供する。【解決手段】略直方体の段ボール箱であって、側面に印刷されペットが通過可能な大きさの扉の印刷物３０と、側面に印刷された窓の印刷物３２と、扉の印刷物３０及び窓の印刷物３２の３辺に印刷された切り取り線と、を有し、切り取り線に沿って切り込みを入れ、扉の印刷物３０部分及び窓の印刷物３２部分を接続辺４２に沿って外側に折り曲げることで、ペット用出入口４４と側面覗き窓４６を形成しペット用ハウス８０’として使用する。【選択図】図２
0003209304.tif 000002
【実用新案登録請求の範囲】
【請求項１】
略直方体の段ボール箱であって、
側面に印刷されペットが通過可能な大きさの扉の印刷物と、
側面に印刷された窓の印刷物と、
前記扉の印刷物及び窓の印刷物の３辺に印刷された切り取り線と、を有し、前記切り取り線に沿って切り込みを入れ、前記扉の印刷物部分及び窓の印刷物部分を接続辺に沿って外側に折り曲げることで、ペット用出入口と側面覗き窓を形成しペット用ハウスとして使用することを特徴とする段ボール箱。
【請求項２】
ペット関連商品を梱包することを特徴とする請求項１記載の段ボール箱。
【請求項３】
上面に、屋根の模様の印刷物と４辺が切り取り線で形成された覗き孔の印刷物とを有することを特徴とする請求項１または請求項２に記載の段ボール箱。
【請求項４】
一側面にペット用ハウスの作製方法が印刷されたことを特徴とする請求項１乃至請求項３のいずれかに記載の段ボール箱。
【考案の詳細な説明】
【技術分野】
【０００１】
本考案は、ペット用ハウスとして使用可能な段ボール箱に関するものである。
【背景技術】
【０００２】
近年のペットブームにより犬や猫等の愛玩動物を飼育する家庭が増加傾向にある。また、近隣住民への配慮からこれらペットを屋内で飼育する家庭も少なくない。そして、このようなペットの隠れ家として様々な屋内用ペット用ハウスが商品化されている。しかしながら、このような屋内用ペット用ハウスは継続的な使用により汚れ、臭いが付着するという問題点がある。
【０００３】
このような問題点に対し、下記［特許文献１］には段ボール製の比較的安価なペット用ハウスに関する考案が開示されている。
【先行技術文献】
【特許文献】
【０００４】
【特許文献１】実用新案登録第３０９６２１５号公報
【考案の概要】
【考案が解決しようとする課題】
【０００５】
しかしながら、［特許文献１］はペット用ハウスを目的として製造されたものであり、構造が複雑で価格も比較的高価であることから、安易に使い捨てにするには抵抗がある。また、ゴミ削減の観点からも好ましいものではない。
【０００６】
本考案は上記事情に鑑みてなされたものであり、ペット用ハウスとしても使用可能な段ボール箱を提供することを目的とする。
【課題を解決するための手段】
【０００７】
本考案は、
（１）略直方体の段ボール箱であって、側面１０ａに印刷されペットが通過可能な大きさの扉の印刷物３０と、側面１０ａに印刷された窓の印刷物３２と、前記扉の印刷物３０及び窓の印刷物３２の３辺に印刷された切り取り線４０と、を有し、前記切り取り線４０に沿って切り込みを入れ、前記扉の印刷物部分３０’及び窓の印刷物部分３２’を接続辺４２に沿って外側に折り曲げることで、ペット用出入口４４と側面覗き窓４６を形成しペット用ハウス８０’として使用することを特徴とする段ボール箱８０を提供することにより、上記課題を解決する。
（２）ペット関連商品を梱包することを特徴とする上記（１）記載の段ボール箱８０を提供することにより、上記課題を解決する。
（３）上面１２に、屋根の模様の印刷物と４辺が切り取り線４０’で形成された覗き孔の印刷物３４とを有することを特徴とする上記（１）または（２）に記載の段ボール箱８０を提供することにより、上記課題を解決する。
（４）一側面１０ｂにペット用ハウスの作製方法（印刷物３８）が印刷されたことを特徴とする上記（１）乃至（３）のいずれかに記載の段ボール箱８０を提供することにより、上記課題を解決する。
【考案の効果】
【０００８】
本考案に係る段ボール箱（ペット用ハウス）は単純な略直方体の段ボール箱と印刷物とで構成される。これにより、安価で且つ簡単に組立てることができる。これにより、ユーザはペット用ハウスを抵抗感無く使い捨てとすることができ、常に清潔なペット用ハウスを使用することができる。また、本考案に係る段ボール箱をペット関連商品の梱包に使用する場合には、ユーザがペット関連商品を購入することで、本考案に係る段ボール箱を無料で入手することができる。これにより、ユーザに対し商品の購入意欲を喚起することが可能なことに加え、梱包用段ボール箱の再利用が可能となる。
【図面の簡単な説明】
【０００９】
【図１】本考案に係る段ボール箱の展開図である。
【図２】本考案に係る段ボール箱をペット用ハウスとした状態を示す斜視図である。
【考案を実施するための形態】
【００１０】
本考案に係る段ボール箱の実施の形態を図面に基づいて説明する。ここで、図１は本考案に係る段ボール箱８０の展開図であり、図２は本考案に係る段ボール箱８０をペット用ハウス８０’として使用した状態を示す斜視図である。
【００１１】
本考案に係る段ボール箱８０は、組立てた状態で略直方体を呈するものであり、側面１０ａに印刷されペットが通過可能な大きさの扉の印刷物３０と、側面１０ａに印刷された窓の印刷物３２と、扉の印刷物３０及び窓の印刷物３２の３辺に印刷によって形成された切り取り線４０（図１中の破線で示す）と、を有している。尚、側面１０ａの印刷物３０、３２以外の部位には、家の壁面を連想させる模様や絵図、イラスト等を印刷することが好ましい。また、本考案に係る段ボール箱８０の上面１２には屋根の模様の印刷物３６を形成することが好ましく、この上面１２には４辺が切り取り線４０’で形成された覗き孔の印刷物３４を形成することがさらに好ましい。
【００１２】
この段ボール箱８０の各部の寸法に特に限定は無いが、段ボール箱８０を梱包資材として使用する場合には、一般的な段ボール箱に使用されている寸法とすることが好ましい。また、印刷物３０、３２の形状、寸法にも特に限定は無いが、扉の印刷物３０に関しては使用を想定するペットが少なくとも通過可能な大きさとすることが好ましい。
【００１３】
尚、本考案に係る段ボール箱８０は、段ボール製のペット用ハウスとしてそれ自体を販売しても良いが、ペット関連商品を梱包輸送する際に使用する段ボール箱に適用することが最も好ましい。例えば、ペット関連商品を本考案に係る段ボール箱８０に梱包して輸送し、これを段ボール箱８０ごと販売することで、これを購入したユーザは目的のペット関連商品に加えペット用ハウス８０’として使用可能な段ボール箱８０をサービスとして入手することができる。この構成によれば、梱包用段ボールの再利用が可能となり、ゴミの減量を図ることができる。尚、本考案は主にネコの使用を想定したものであるが、対象とする動物には特に限定は無く、犬やウサギ、ハムスター、モルモット、フィレット等、如何なるものでも良い。この場合、梱包するペット関連商品の対象動物に準じて、段ボール箱８０に印刷する特に扉の印刷物３０の大きさを変化させることが好ましい。即ち、例えばネコ関連商品を梱包する段ボール箱８０では、扉の印刷物３０はネコが通過可能な大きさとし、ウサギ、ハムスター、モルモット、フィレット等のペット関連商品を梱包する段ボール箱８０では、これらの動物に適した大きさの扉の印刷物３０を印刷することが好ましい。
【００１４】
また、本考案に係る段ボール箱８０を商品の梱包にも使用する場合、商品名や商品バーコード等の商品情報は可能な限り１つの側面１０ｂに印刷し、残りの３方の側面１０ａに印刷物３０、３２等の印刷物を形成することが好ましい。この構成によれば、段ボール箱８０をペット用ハウス８０’として使用したときに、３方がペット用ハウス８０’の壁面印刷物となるため商品情報が目立たず、ペット用ハウス８０’を室内に設置した場合でも美観を損なうことが無い。
【００１５】
また、商品情報が印刷された側面１０ｂにはペット用ハウスの作製方法を説明する印刷物３８も同時に形成することが好ましい。この構成によれば、ユーザが商品購入時にこの段ボール箱８０の使用方法を理解し、購入意欲を喚起することができる。
【００１６】
次に、本考案に係る好適な段ボール箱８０の例及び使用方法を説明する。尚、ここでは本考案に係る段ボール箱８０をペット関連商品の梱包に使用する例を説明する。先ず、ペット関連商品の段ボール箱に印刷物を形成する。この時、１つの側面１０ｂに商品名等の商品情報とペット用ハウスの作製方法に関する印刷物３８とを印刷する。また、残りの３方の側面１０ａに３辺が切り取り線４０で構成された扉の印刷物３０と窓の印刷物３２とを印刷する。また、側面１０ａの残りの部分に家屋の壁面を連想させる印刷物を印刷する。また、上面１２となる面に屋根の模様の印刷物３６及び覗き孔の印刷物３４を印刷する。
【００１７】
次に、印刷の完了した段ボール箱８０を組み立てて上面１２が開口した略直方体の箱型とする。次に、この段ボール箱８０に対応するペット関連商品を入れ、上面１２を閉じて封止する。これにより、段ボール箱８０による商品の梱包が完了する。そして、商品が梱包された段ボール箱８０を店舗等に輸送する。店舗等に到着した段ボール箱８０は、そのまま陳列され販売に供される。そして、ユーザはこのペット関連商品を段ボール箱８０ごと購入する。
【００１８】
次に、ペット関連商品を購入したユーザは上面１２を開封し、中のペット関連商品を取り出す。次に、ユーザはペット用ハウスの作製方法を説明する印刷物３８を確認し、カッター等を用いて扉の印刷物３０及び窓の印刷物３２の３辺の切り取り線４０に切り込みを入れる。これにより、切り取り線４０の無い接続辺４２を除いた扉及び窓の印刷物３０、３２の３辺が切断される。次に、これら印刷物３０、３２の印刷物部分３０’、３２’を接続辺４２に沿って外側に折り曲げる。これにより、図２に示すように、扉の印刷物部分３０’が接続辺４２を蝶番として開き、ペット用出入口４４が形成される。また、窓の印刷物部分３２’が接続辺４２を蝶番として開き、側面覗き窓４６が形成される。また、これと前後して上面１２の切り取り線４０’を切断し、覗き孔の印刷物３４の部分を切除する。これにより、上面１２に上面覗き窓４６’が形成される。次に、上面１２を閉じて封止する。この際、爪とぎや毛布等のペット用品を必要に応じて内部に入れても良い。これにより、段ボール箱８０によるペット用ハウス８０’が完成する。
【００１９】
そして、このペット用ハウス８０’をペットが生活する屋内の所定の場所やケージ内に配置する。これにより、特にネコはペット用ハウス８０’に興味を示し、ペット用出入口４４から出入りしてこれを家や隠れ家として使用する。また、ユーザは側面覗き窓４６、上面覗き窓４６’等から、中にいるペットの様子を観察するとともに、ここから猫じゃらし等を挿し入れて、ペットと遊ぶことができる。
【００２０】
そして、ペットがペット用ハウス８０’を汚したり、爪とぎ等により破壊するなどした場合、ユーザは適宜ペット用ハウス８０’を潰して廃棄する。そして、新たな段ボール箱８０でペット用ハウス８０’を作製し、配置する。
【００２１】
以上のように、本考案に係る段ボール箱８０は単純な略直方体の段ボール箱と印刷物とで構成される。これにより、安価で且つ簡単に組立てることができる。これにより、ユーザはペット用ハウス８０’を抵抗感無く使い捨てとすることができる。これにより、常に清潔なペット用ハウス８０’を使用することが可能なことに加え、室内を清潔に保つことができる。またさらに、本考案に係る段ボール箱８０をペット関連商品の梱包に使用する場合には、ユーザがペット関連商品を購入することで、本考案に係る段ボール箱８０を無料で入手することができる。これにより、ユーザに対し商品の購入意欲を喚起することが可能なことに加え、段ボール箱８０の再利用が可能となる。
【００２２】
尚、上記に示した段ボール箱８０及び各印刷物の形状、寸法、位置、デザイン等は一例であるから、上記の例に限定されるわけでは無く、本考案は本考案の要旨を逸脱しない範囲で変更して実施することが可能である。
【符号の説明】
【００２３】
１０ａ、１０ｂ  側面
１２    上面
３０    扉の印刷物
３０’  扉の印刷物部分
３２    窓の印刷物
３２’  窓の印刷物部分
３４    覗き孔の印刷物
３８    ペット用ハウスの作製方法の印刷物
４０、４０’  切り取り線
４２    接続辺
４４    ペット用出入口
４６    側面覗き窓
８０    段ボール箱
８０’  ペット用ハウス
【図１】
0003209304.tif 000003
【図２】
0003209304.tif 000004